(57)【要約】【課題】  より効率的に検像処理を実施するための検像支援装置および検像支援プログラムを提供する。【解決手段】  上記課題を解決するために、実施形態の検像処理装置は、記憶手段が記憶している医用データを医用データ指定用の端末に表示させるための指示を行う第一の表示指示手段と、前記第一の表示指示手段によって前記医用データ指定用の端末に表示された前記医用データの中から前記医用データ指定用の端末によって指定された検像処理対象データを前記記憶手段から検像処理手段に転送させるための転送指示手段と、前記転送指示手段によって前記記憶手段から前記検像処理手段に転送された前記検像処理対象データを検像処理指示用の端末に表示させるための指示を行う第二の表示指示手段と、を備える。【選択図】図１
2014215854.tif 000002
【特許請求の範囲】
【請求項１】
記憶手段が記憶している医用データを医用データ指定用の端末に表示させるための指示を行う第一の表示指示手段と、
前記第一の表示指示手段によって前記医用データ指定用の端末に表示された前記医用データの中から前記医用データ指定用の端末によって指定された検像処理対象データを前記記憶手段から検像処理手段に転送させるための転送指示手段と、
前記転送指示手段によって前記記憶手段から前記検像処理手段に転送された前記検像処理対象データを検像処理指示用の端末に表示させるための指示を行う第二の表示指示手段と、
を備えた検像支援装置。
【請求項２】
前記検像処理手段によって検像処理が行なわれた前記検像処理対象データを前記検像処理指示用の端末に表示させるための指示を行う第三の表示指示手段を備えた請求項１に記載の検像支援装置。
【請求項３】
前記転送指示手段は、全ての前記検像処理対象データについて前記検像処理手段による前記検像処理が完了すると、前記検像処理が完了した全ての前記検像処理対象データを前記記憶手段と同じあるいは別の記憶手段に転送させる請求項１又は２に記載の検像支援装置。
【請求項４】
医師を特定可能な医師情報を取得する医師情報取得手段を備え、
前記第一の表示指示手段は、前記医師情報取得手段によって取得された前記医師情報に基づいて前記医用データを前記医用データ指定用の端末に表示させるための指示を行う請求項１乃至３のうちいずれか一つに記載の検像支援装置。
【請求項５】
技師を特定可能な技師情報を取得する技師情報取得手段を備え、
前記第二の表示指示手段は、前記技師情報取得手段によって取得された前記技師情報に基づいて前記検像処理対象データを前記検像処理指示用の端末に表示させるための指示を行う請求項１乃至４のうちいずれか一つに記載の検像支援装置。
【請求項６】
前記転送指示手段は、自身によって記憶手段に転送された検像処理後の前記検像処理対象データの中で、特定の検像処理が行われたものを読影手段に転送させる請求項３に記載の検像支援装置。
【請求項７】
記憶手段と、医用データ指定用の端末と、検像処理手段と、検像処理指示用の端末との間のデータの送受信を制御可能な検像支援装置に、
前記記憶手段が記憶している医用データを前記端末に表示させる機能と、
前記医用データ指定用の端末に表示された前記医用データの中から前記医用データ指定用の端末によって指定された検像処理対象データを前記記憶手段から前記検像処理手段に転送させる機能と、
前記検像処理指示用の端末に前記記憶手段から前記検像処理手段に転送された前記検像処理対象データを表示させる機能と、
を実現させる検像支援プログラム。
【発明の詳細な説明】
【技術分野】
【０００１】
本発明の実施形態は、検像支援装置および検像支援プログラムに関する。
【背景技術】
【０００２】
一般的に、医用診断装置で生成された医用画像および当該医用画像に付帯する患者情報や検査情報などの付帯情報は、画像処理や文字の修正などの検像処理が施された後に診断で使用される。通常、この検像処理は、例えば以下のようなプロセスで行われる。
【０００３】
まず、医用診断装置は、自身が生成した医用画像および付帯情報（医用データ）を検像処理装置に送信する。次に、検像処理装置は、技師からの入力に基づいて、医用診断装置から受信した医用データに対して検像処理を施す。検像処理装置による検像処理が終了すると、検像処理後の医用画像と付帯情報は、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）などの画像サーバに送信され、画像サーバは検像処理装置から受信した検像処理後の医用データを保存する。医師は、画像サーバに保存された検像処理後の医用画像と付帯情報を読影装置で読み出し、診断を行う。
【先行技術文献】
【特許文献】
【０００４】
【特許文献１】特開２０１２−１３３４２４号公報
【発明の概要】
【発明が解決しようとする課題】
【０００５】
しかしながら、上記のような形態では、医用診断装置が生成した全ての医用画像を対象として画像処理を行うことになるため、技師は読影に使用しない医用画像に対しても画像処理を行わなければならない。また、上記のような形態では、検像処理装置が設けられている部屋で検像処理を行う必要があり、病院の運用の都合上、当該検像処理装置が設けられている部屋に複数の技師が同時に集まることが困難である場合、一人の技師の裁量に検像処理が依存してしまうため、十分な精度で画像処理を行えない可能性がある。
【０００６】
本発明が解決しようとする課題は、より効率的に検像処理を実施するための検像支援装置および検像支援プログラムを提供することである。
【課題を解決するための手段】
【０００７】
上記課題を解決するために、実施形態の検像処理装置は、記憶手段が記憶している医用データを医用データ指定用の端末に表示させるための指示を行う第一の表示指示手段と、前記第一の表示指示手段によって前記医用データ指定用の端末に表示された前記医用データの中から前記医用データ指定用の端末によって指定された検像処理対象データを前記記憶手段から検像処理手段に転送させるための転送指示手段と、前記転送指示手段によって前記記憶手段から前記検像処理手段に転送された前記検像処理対象データを検像処理指示用の端末に表示させるための指示を行う第二の表示指示手段と、を備える。
【図面の簡単な説明】
【０００８】
【図１】実施形態の構成を示すブロック図。
【図２】実施形態の動作を示すフロー図１。
【図３】実施形態の動作を示すフロー図２。
【図４】実施形態の動作を示すフロー図３。
【図５】実施形態における医師が使用する端末の表示画面の概略図１。
【図６】実施形態における医師が使用する端末の表示画面の概略図２。
【図７】実施形態における技師が使用する端末の表示画面の概略図１。
【図８】実施形態における技師が使用する端末の表示画面の概略図２．
【図９】実施形態における技師が使用する端末の表示画面の概略図３。
【図１０】実施形態における技師が使用する端末の表示画面の概略図４。
【図１１】変形例における技師が使用する端末の表示画面の概略図。
【発明を実施するための形態】
【０００９】
以下、本発明の実施形態について図面を参照しながら説明する。
【００１０】
まず、本実施形態の検像支援装置の構成を図１のブロック図を用いて説明する。
【００１１】
図１に示すように、本実施形態における検像支援装置１１は、医用診断装置１、画像サーバ２、検像処理装置３、読影装置４、端末５、端末６、端末７と、例えば病院内のネットワーク１００を介して接続されており、相互に情報の送受信が可能である。また、本実施形態における検像支援装置１１は、医師情報・技師情報取得部１２、画像サーバ／端末表示指示部３、画像サーバ／検像処理装置転送指示部１４、検像処理装置／端末表示指示部１５、画像サーバ／読影装置転送指示部１６を備える。
【００１２】
医用診断装置１は、例えばＸ線診断装置であり、医用画像や付帯情報といった医用データを生成する。医用診断装置１は、ハードディスクなどの記憶部１ａを備えており、自身が生成した医用データを記憶部１ａに記憶させる。医用診断装置１は、自身が生成した医用データを画像サーバ２に転送する。また、医用診断装置１は、一人の患者に係る診断が完了し、その診断に係る全ての医用データが画像サーバ２に対して転送されると、医用データの転送が完了した旨を検像支援装置１１に通知する。
【００１３】
画像サーバ２は、例えばＰＡＣＳなどのデータベースサーバであり、ハードディスクなどの記憶部２ａを備える。画像サーバ２は、医用診断装置１から転送された医用データを記憶部２ａに記憶させる。画像サーバ２は、検像支援装置１１の画像サーバ／端末表示指示部１３からの指示に従って、記憶部２ａが記憶している医用データ、即ち、検像処理を行う候補となる医用データを、例えば診断単位で端末５に転送する。画像サーバ２は、検像支援装置１１の画像サーバ／端末表示指示部１３からの指示に従って医用データを端末５に転送する際、転送する医用データに、画像サーバ／端末表示指示部１３から通知された後述する医師情報と後述する技師情報を追加する。画像サーバ２は、検像支援装置１１の画像サーバ／検像処理装置転送指示部１４からの指示に従って、記憶部２ａが記憶しており検像処理の対象となる医用データを、例えば診断単位で検像処理装置３に転送する。画像サーバ２は、検像支援装置１１の画像サーバ／検像処理装置転送指示部１４からの指示に従って医用データを検像処理装置３に転送する際、転送する医用データに、画像サーバ／端末表示指示部１３から通知された後述する医師情報および後述する技師情報と、また、このとき画像サーバ２は、転送する医用データＡに、ステップＳ４において画像サーバ／端末表示指示部１３から通知された医師情報および技師情報と、検像支援装置１１の画像サーバ／検像処理装置転送指示部１４から通知された検像処理の種類を示す情報を追加する。画像サーバ２は、検像処理装置３から転送された検像処理後の医用データを、記憶部２ａに記憶させる。画像サーバ２は、検像処理装置３から転送された検像処理後の医用データを、記憶部２ａに記憶させると、記憶が完了した旨を検像支援装置１１に通知する。画像サーバ２は、検像支援装置１１の画像サーバ／読影装置転送指示部１６からの指示に従って、記憶部２ａが記憶している検像処理後の医用データの中で、検像処理として画像処理が実施された医用データを読影装置４に転送する。画像サーバ２は、読影装置４から転送された付帯情報が追加された医用データを記憶部２ａに記憶させる。
【００１４】
検像処理装置３は、ハードディスクなどの記憶部３ａを備えており、画像サーバ２から転送された検像処理の対象となる医用データを記憶部３ａに記憶させる。検像処理装置３は、画像サーバ２から転送された検像処理の対象となる医用データを記憶部３ａに記憶させると、転送が完了した旨を検像支援装置１１に通知する。検像処理装置３は、検像支援装置１１の検像処理装置／端末表示指示部１５からの指示に従って、記憶部３ａが記憶している検像処理の対象となる医用データを端末６と端末７に転送する。検像処理装置３は、検像支援装置１１の検像処理装置／端末表示指示部１５からの指示に従って、記憶部３ａが記憶している検像処理後の医用データを端末６と端末７に転送する。検像処理装置３は、端末６からの指示に従って、記憶部３ａが記憶している医用データに対して検像処理を行う。検像処理装置３は、端末７からの指示に従って、記憶部３ａが記憶している医用データに対して検像処理を行う。検像処理装置３は、検像処理後の医用データを記憶部３ａに記憶させる。検像処理装置３は、端末６あるいは端末７からの検像処理が完了する度に、検像処理完了の旨を検像支援装置１１に通知する。検像処理装置３は、検像支援装置１１の画像サーバ／検像処理装置転送指示部１４からの指示に従って、記憶部３ａに記憶させた、端末６を使用する技師および端末７を使用する技師の入力に基づく検像処理後の医用データを、画像サーバ２に転送する。なお、検像処理装置３は、記憶部３ａが記憶する医用データを表示する図示しない表示手段と、検像処理の内容を指示するための図示しない入力手段を備えており、技師が当該表示手段に表示された医用データを参照し、当該入力手段を介して検像処理の内容を入力することで検像処理を実施させることができる。
【００１５】
読影装置４は図示しない表示手段を備えており、画像サーバ２から転送された画像処理が行なわれた医用データを当該表示手段に表示させる。読影装置４を使用する医師は、当該表示手段に表示された画像処理が行なわれた医用データを参照し、例えば読影コメントなどの付帯情報を医用データに追加する。読影装置４は付帯情報が追加された医用データを画像サーバ２に転送する。
【００１６】
端末５は、例えばタブレット端末のような表示手段と入力手段が一体となったユーザインターフェイスであり、本実施形態において、端末５は読影装置４を使用する医師によって使用される。端末５は、検像支援装置１１の画像サーバ／端末表示指示部１３からの指示に従って画像サーバ２から医用データが転送されると、例えば端末５を使用する医師に医用データが転送された旨を知らせるためのメッセージと、患者選択画面を表示する。端末５は、端末５を使用する医師による患者選択画面への入力内容に基づいて、検像処理の対象となる医用データを選択するための医用データ選択画面を表示する。端末５は、端末５を使用する医師による医用データ選択画面への入力内容に基づいて、検像処理の対象となる医用データを検像支援装置１１に通知する。なお、端末５に表示される患者選択画面と医用データ選択画面の詳細や、端末５を使用する医師の振る舞いについては後述する。
【００１７】
端末６と端末７は、例えばタブレット端末のような表示手段と入力手段が一体となったユーザインターフェイスである。本実施形態において、端末６と端末７は、検像処理を行なう２人の技師によってそれぞれ使用される。端末６と端末７は、検像支援装置１１の検像処理装置／端末表示指示部１５からの指示に従って検像処理装置３から検像処理の対象となる医用データが転送されると、例えば端末６を使用する技師と端末７を使用する技師に検像処理の対象となる医用データが転送された旨を知らせるためのメッセージと、患者選択画面を表示する。端末６と端末７は、検像支援装置１１の検像処理装置／端末表示指示部１５からの指示に従って検像処理装置３から検像処理後の医用データが転送されると、例えば端末６を使用する技師と端末７を使用する技師に検像処理後の医用データが転送された旨を知らせるためのメッセージと、患者選択画面を表示する。端末６は、端末６を使用する技師による患者選択画面への入力内容に基づいて、検像処理の内容を入力させるための検像処理指示画面を表示する。端末６は、端末６を使用する技師による検像処理指示画面への入力内容に基づく検像処理を検像処理装置３に指示する。端末７は、端末７を使用する技師による患者選択画面への入力内容に基づいて、検像処理の内容を入力させるための検像処理指示画面を表示する。端末７は、端末７を使用する技師による検像処理指示画面への入力内容に基づく検像処理を検像処理装置３に指示する。なお、端末６と端末７に表示される患者選択画面と検像処理指示画面の詳細、端末６を使用する技師と端末７を使用する技師の振る舞いについては後述する。
【００１８】
前述したように検像支援装置１１は、医師情報・技師情報取得部１２、画像サーバ／端末表示指示部１３、画像サーバ／検像処理装置転送指示部１４、検像処理装置／端末表示指示部１５、画像サーバ／読影装置転送指示部１６を備える。
【００１９】
医師情報・技師情報取得部１２は、医用診断装置１からの通知に基づいて、例えばネットワーク１００に接続された図示しないＲＩＳ（Ｒａｄｉｏｌｏｇｙ  Ｉｎｆｏｒｍａｔｉｏｎ  Ｓｙｓｔｅｍ）や図示しないＨＩＳ（Ｈｏｓｐｉｔａｌ  Ｉｎｆｏｒｍａｔｉｏｎ  Ｓｙｓｔｅｍ）から、読影装置４を使用する医師を特定する医師情報と検像処理を行う技師を特定する技師情報を取得する。
【００２０】
画像サーバ／端末表示指示部１３は、医師情報・技師情報取得部１２が取得した医師情報によって特定される医師が使用する端末５に、画像サーバ２の記憶部２ａが記憶している医用データを診断単位で転送するように、画像サーバ２に対して指示する。画像サーバ／端末表示指示部１３は、医師情報・技師情報取得部１２がＲＩＳやＨＩＳから取得した医師情報と技師情報を画像サーバ２に通知する。
【００２１】
画像サーバ／検像処理装置転送指示部１４は、端末５からの通知に基づいて、画像サーバ２の記憶部２ａが記憶している検像処理の対象となる医用データを検像処理装置３に転送するように、画像サーバ２に対して指示する。また、画像サーバ／検像処理装置転送指示部１４は、検像処理の対象となる医用データに対して実施する後述する検像処理の種類を示す情報を画像サーバ２に通知する。画像サーバ／検像処理装置転送指示部１４は、検像処理装置３の記憶部３ａが端末６および端末７からの指示に基づく検像処理後の医用データを記憶させると、端末６および端末７からの指示に基づく検像処理後の医用データを画像サーバ２に転送するように、検像処理装置３に対して指示する。
【００２２】
検像処理装置／端末表示指示部１５は、画像サーバ２から検像処理装置３に転送され記憶部３ａに記憶された検像処理の対象となる医用データを端末６と端末７に転送するように、検像処理装置３に対して指示する。検像処理装置／端末表示指示部１５は、検像処理装置３の記憶部３ａに記憶された検像処理後の医用データを端末６と端末７に転送するように、検像処理装置３に対して指示する。
【００２３】
画像サーバ／読影装置転送指示部１６は、画像サーバ２からの通知に基づいて、画像サーバ２の記憶部２ａに記憶された検像処理後の医用データの中で、画像処理が行なわれた医用データのみを読影装置に転送するように画像サーバ２に対して指示する。 
次に、本実施形態の検像支援装置の動作を主に図２、図３、図４に示すフロー図を主に用いて説明する。
【００２４】
図２は、本実施形態のフローにおけるステップＳ１〜ステップＳ１２を示すフロー図である。
【００２５】
ステップＳ１において、医用診断装置１は、医用データを生成し、自身が生成した医用データを記憶部１ａに記憶させる。医用診断装置１は、自身が生成した医用データを画像サーバ２に転送する。医用診断装置１は、一回の診断が完了し、その診断に係る全ての医用データが画像サーバ２に対して転送されると、医用データの転送が完了した旨とその診断を特定し得る情報、例えば患者氏名や診断日などの付帯情報の一部を検像支援装置１１に通知する。
【００２６】
ステップＳ２において、画像サーバ２は、医用診断装置１から転送された医用データを記憶部２ａに記憶させる。
【００２７】
ステップＳ３において、検像支援装置１１の医師情報・技師情報取得部１２は、ステップＳ１における医用診断装置１からの通知に基づいて、ＲＩＳやＨＩＳから、医師情報と技師情報を取得する。なお、ＲＩＳやＨＩＳには、例えば、予め診断単位で医師情報と技師情報が登録されている。医師情報は、読影装置４および端末５を用いて検像処理を行なう医用データを指定する医師を特定できる情報であり、技師情報は、端末６や端末７を用いて検像処理の内容を指示する技師を特定できる情報である。また、端末５を使用する医師と端末５、端末６を使用する技師と端末６、端末７を使用する技師と端末７は、それぞれ予め関連付けが成されており、例えば端末５を使用する医師の医師情報がわかれば当該医師が使用する端末が特定できるようになっている。
【００２８】
ステップＳ４において、検像支援装置１１の画像サーバ／端末表示指示部１３は、医師情報・技師情報取得部１２が取得した医師情報によって特定される医師が使用する端末５に、ステップＳ１で生成され画像サーバ２の記憶部２ａに記憶された医用データを診断単位で転送するように、画像サーバ２に対して指示する。なお、このとき、画像サーバ／端末表示指示部１３は、医師情報・技師情報取得部１２がＲＩＳやＨＩＳから取得した医師情報と技師情報を画像サーバ２に通知する。
【００２９】
ステップＳ５において、画像サーバ２は、ステップＳ４における検像支援装置１１の画像サーバ／端末表示指示部１３からの指示に従って、記憶部２ａが記憶している検像処理を行う候補となる医用データを診断単位で端末５に転送する。また、このとき画像サーバ２は、転送する医用データに、画像サーバ／端末表示指示部１３から通知された医師情報と技師情報を追加する。
【００３０】
ステップＳ６において、端末５は例えば端末５を使用する医師に医用データが転送された旨を知らせるためのメッセージと、患者選択画面を表示する。
【００３１】
図５は、端末５に表示されるメッセージ２０１と患者選択画面２０２の概略図である。本実施形態におけるメッセージ２０１は、例えば図５に示すように、『「２０１３／０１／３０」に診断を行った患者「××  ××」さんの医用データを受信しました。』といった、画像サーバ２から転送された医用データに基づく患者氏名や診断日などの情報と、端末５が医用データを受信した旨を示す情報を有する。また、本実施形態における患者選択画面２０２は、例えば参照ボタン２０２ａと、参照ボタン２０２ａに対応するように設けられた画像サーバ２から転送された医用データに基づく患者氏名、診断日、担当技師などの情報表示欄２０２ｂを診断単位で有する。本実施形態において、担当技師は、端末６と端末７を使用する技師に相当する。図５に示すように、端末５を使用する医師は、例えば「２０１３／０１／３０」に診断された患者「××  ××」の医用データを参照する場合、患者選択画面２０２の参照ボタン２０２ａにタッチする。端末５を使用する医師によって参照ボタン２０２ａがタッチされると、ステップＳ７に移行する。なお、端末５を使用する医師によって「２０１３／０１／３０」に診断された患者「××  ××」の医用データに対応する参照ボタン２０２ａがタッチされる前に、例えば「２０１３／０２／０１」に診断された患者「○○  ○○」の診断に係る医用データが端末５に転送されると、図５に示すように「２０１３／０１／３０」に診断された患者「××  ××」の診断と、「２０１３／０２／０１」に診断された患者「○○  ○○」の診断に係る参照ボタン２０２ａと、情報表示欄２０２ｂが並べて表示される。
【００３２】
ステップＳ７において、端末５は、端末５を使用する医師による患者選択画面への入力内容に基づいて、検像処理の対象となる医用データを選択するための医用データ選択画面を表示する。ここで端末５を使用する医師による患者選択画面への入力内容とは、上述のように、端末５を使用する医師による参照ボタン２０２ａへのタッチに相当する。
【００３３】
図６は、端末５に表示される医用データ選択画面の概略図である。図６（ａ）、図６（ｂ）、図６（ｃ）に示すように、本実施形態における医用データ選択画面は、例えば例えば医用データ表示欄２０３、入力画面表示欄２０４、指定完了ランプ２０５を有する。
【００３４】
ステップＳ７では、まず、図６（ａ）に示すような医用データ選択画面が表示される。このとき指定完了ランプ２０５は点灯していない状態であり、入力画面表示欄２０４には、例えばサムネイル画像２０６、付帯情報用チェックボックス２０７、医用画像用チェックボックス２０８、指定完了ボタン２０９、スクロールバー２１０が表示される。サムネイル画像２０６は、ステップＳ５において画像サーバ２から転送された医用データに基づく画像であり、上述の例に沿って説明すると、当該医用データは「２０１３／０１／３０」に診断された患者「××  ××」の診断に係る医用データである。また、本実施形態において、当該医用データは、医用データＡ、医用データＢ、医用データＣの３種類の医用データである。なお、例えば画像サーバ２から転送された医用データが医用データＡ、医用データＢ、医用データＣ以外にあり、サムネイル画像２０６を入力画面表示欄２０４に表示しきれない場合、端末５を使用する医師は、スクロールバー２１０にタッチしドラッグアンドドロップすることで入力画面表示欄２０４内に表示されたサムネイル画像２０６、付帯情報用チェックボックス２０７、医用画像用チェックボックス２０８、指定完了ボタン２０９をスクロールさせることができる。
【００３５】
本実施形態において、端末５を使用する医師は、まず、入力画面表示欄２０４に表示された医用データＡに係るサムネイル画像２０６をタッチする。端末５を使用する医師によって医用データＡに基づくサムネイル画像２０６がタッチされると、図６（ｂ）に示すような医用データ選択画面に切り替わり、医用データＡに基づく画像が医用データ表示欄２０３に表示される。端末５を使用する医師は、医用データ表示欄２０３に表示された医用データＡの画像を参照し、検像処理を行なうか否かを判断する。端末５を使用する医師は、参照の結果、医用データＡが検像処理として付帯情報の修正が必要であると判断した場合、医用データＡに対応する付帯情報用チェックボックス２０７にタッチし、チェックマーカ２１１を入力する。また、端末５を使用する医師は、参照の結果、医用データＡが検像処理として医用画像の画像処理が必要であると判断した場合、医用データＡに対応する医用画像用チェックボックス２０８にタッチし、チェックマーカ２１１を入力する。なお、本実施形態において医用画像の画像処理が必要であるということは、その医用画像が読影で使用されることを意味する。本実施形態において、医用データＡは、付帯情報の修正および医用画像の画像処理が必要であると判断された医用データであると仮定し、以下説明する。
【００３６】
端末５を使用する医師は、医用データＡに対応する付帯情報用チェックボックス２０７と医用画像チェックボックス２０８にタッチすると、医用データＢおよび医用データＣについても同様に参照し、検像処理を行なうか否かを判断する。本実施形態において、医用データＢおよび医用データＣは検像処理を実施する必要がないと判断された医用データであると仮定し、以下説明する。なお、端末５を使用する医師は、参照の結果、検像処理を行なう必要が無いと判断した医用データについては、端末５を使用する医師は付帯情報用チェックボックス２０７や医用画像用チェックボックス２０８をタッチしない。また、付帯情報用チェックボックス２０７と医用画像用チェックボックス２０８のいずれかがタッチされた医用データは、検像処理の対象となる。
【００３７】
全ての医用データについて検像処理を行なうか否かの判断が完了すると、端末５を使用する医師は、指定完了ボタン２０９をタッチする。端末５を使用する医師によって指定完了ボタン２０９がタッチされると、図６（ｃ）に示すような医用データ選択画面に切り替わり、ステップＳ８に移行する。なお、図６（ｃ）に示すような医用データ選択画面に切り替わると、指定完了ランプ２０５が点灯し、入力画面表示欄２０４には戻るボタン２１２が表示される。端末５を使用する医師が戻るボタン２１２をタッチすると、端末５の表示画面は、図５に示した患者選択画面に切り替わる。このときの患者選択画面には、「２０１３／０１／３０」に診断された患者「××  ××」の診断に係る参照ボタン２０２ａと情報表示欄２０２ｂは表示されない。
【００３８】
ステップＳ８において、端末５は、端末５を使用する医師による医用データ選択画面への入力内容に基づいて、検像処理の対象となる医用データＡと、医用データＡに対して実施する検像処理の種類を検像支援装置１１に通知する。本実施形態における端末５を使用する医師による医用データ選択画面への入力内容とは、端末５を使用する医師によるチェックマーカ２１１の入力に相当する。また、本実施形態において検像処理の種類とは、付帯情報の修正と画像処理の２種類に相当する。
【００３９】
ステップＳ９において、検像支援装置１１の画像サーバ／検像処理装置転送指示部１４は、ステップＳ８における端末５からの通知に基づいて、記憶部２ａが記憶している医用データＡを検像処理装置３に転送するように、画像サーバ２に対して指示する。また、画像サーバ／検像処理装置転送指示部１４は、医用データＡに対して実施する検像処理の種類を示す情報を画像サーバ２に通知する。
【００４０】
ステップＳ１０において、画像サーバ２は、ステップＳ９における検像支援装置１１の画像サーバ／検像処理装置転送指示部１４からの指示に従って、記憶部２ａが記憶している医用データＡを検像処理装置３に転送する。また、このとき画像サーバ２は、転送する医用データＡに、ステップＳ４において画像サーバ／端末表示指示部１３から通知された医師情報および技師情報と、ステップＳ９において検像支援装置１１の画像サーバ／検像処理装置転送指示部１４から通知された検像処理の種類を示す情報を追加する。
【００４１】
ステップＳ１１において、検像処理装置３は、画像サーバ２から転送された検像処理の対象となる医用データＡを記憶部３ａに記憶させる。
【００４２】
ステップＳ１２において、検像処理装置３は、画像サーバ２から転送された医用データＡを記憶部３ａに記憶させると、転送が完了した旨を検像支援装置１１に通知する。検像処理装置３から検像支援装置１１に通知が成されると、図３に示すステップＳ１３に以降する。
【００４３】
図３は、本実施形態のフローにおけるステップＳ１３〜ステップＳ３０を示すフロー図である。
【００４４】
ステップＳ１３において、検像処理装置／端末表示指示部１５は、画像サーバ２から検像処理装置３に転送され記憶部３ａに記憶された医用データＡを端末６と端末７に転送するように、検像処理装置３に対して指示する。
【００４５】
ステップＳ１４において、検像処理装置３は、検像支援装置１１の検像処理装置／端末表示指示部１５からの指示に従って、記憶部３ａが記憶している医用データＡを端末６と端末７に転送する。
【００４６】
ステップＳ１５において、端末６と端末７は、例えば端末６を使用する技師と端末７を使用する技師に検像処理装置３から医用データＡが転送された旨を知らせるためのメッセージと、患者選択画面を表示する。
【００４７】
図７は、ステップＳ１５において端末６および端末７に表示されるメッセージ３０１と患者選択画面３０２の概略図である。図７における依頼医師「△△  △△」は端末５を使用する医師、担当技師「■■  ■■」は端末６を使用する技師、担当技師「▼▼  ▼▼」は、端末７を使用する技師に相当する。
【００４８】
ステップＳ１５におけるメッセージ３０１は、例えば『医師「△△  △△」さんから患者「××  ××」さんに係る医用データの検像処理が依頼されました。』といったように、ステップＳ１４において検像処理装置３から転送された医用データＡに基づく依頼医師や患者氏名などの情報と、検像処理が依頼された旨を示す情報を有する。また、本実施形態における患者選択画面３０２は、例えば参照ボタン３０２ａと、参照ボタン３０２ａに対応して設けられた、ステップＳ１４において検像処理装置３から転送された医用データＡに基づく依頼医師、患者氏名、担当技師などの情報表示欄３０２ｂと、担当技師に対応したステータス欄３０２ｃを診断単位で有する。ステータス欄３０２ｃの表示は、検像処理の対象となる全ての医用データに対して端末からの指示に基づく検像処理が完了したがどうかによって変化し、例えば端末からの指示に基づく検像処理が成されている場合は「済」、成されていない場合は「未」が表示される。
【００４９】
本実施形態では、端末６を使用する技師が端末７を使用する技師より前に検像処理の指示を行う場合について説明する。
【００５０】
図７を用いて説明すると、端末６を使用する技師「■■  ■■」は、例えば端末５を使用する医師「△△  △△」に依頼された患者「××  ××」の医用データを参照する場合、患者選択画面３０２の参照ボタン３０２ａにタッチする。端末６を使用する技師によって参照ボタン３０２ａがタッチされると、ステップＳ１６に移行する。なお、例えば端末６を使用する技師によって参照ボタン３０２ａがタッチされる前に、別の診断に係る検像処理の対象となる医用データが端末６および端末７に転送されると、端末５のときと同様に、端末６は、別の診断に係る参照ボタン３０２ａ、情報表示欄３０２ｂ、ステータス欄３０２ｃを並べて表示する。
【００５１】
ステップＳ１６において、端末６は、端末６を使用する技師による患者選択画面への入力内容に基づいて、検像処理の内容を入力させるための検像処理指示画面を表示する。ここで、端末６を使用する技師による患者選択画面への入力内容とは、端末６を使用する技師が、端末６に表示された参照ボタン３０２ａにタッチしたことに相当する。
【００５２】
図８は、ステップＳ１６において、端末６に表示された参照ボタン３０２ａがタッチされたことで端末６に表示される検像処理指示画面の概略図である。図８（ａ）と図８（ｂ）に示すように、検像処理指示画面は、医用データ表示欄３０３、入力画面表示欄３０４、検像完了ランプ３０５を有する。
【００５３】
端末６を使用する技師によって端末６に表示された参照ボタン３０２ａがタッチされると、端末６には、まず、図８（ａ）に示すような検像処理指示画面が表示される。このとき、検像完了ランプ３０５は点灯していない状態であり、入力画面表示欄３０４には、サムネイル画像３０６、付帯情報用チェックボックス３０７、医用画像用チェックボックス３０８、スクロールバー３０９、戻るボタン３１０、チェックマーカ３１１が表示される。
【００５４】
本実施形態において、サムネイル画像３０６は、検像処理装置３から転送された医用データＡに基づく画像である。なお、端末５を使用する医師「△△  △△」に依頼された患者「××  ××」の医用データが医用データＡ以外にも複数あり、サムネイル画像３０６が入力画面表示欄３０４に表示しきれない場合、端末６を使用する技師は、スクロールバー３０９にタッチしドラッグアンドドロップすることで入力画面表示欄３０４内に表示されたサムネイル画像３０６をスクロールさせることができる。チェックマーカ３１１は、ステップＳ１４において医用データＡに追加された検像処理の種類を示す情報に基づいて、付帯情報用チェックボックス３０７、医用画像用チェックボックス３０８の中に表示される。本実施形態において、医用データＡに対して実施する検像処理の種類は、付帯情報の修正および医用画像の画像処理であるため、付帯情報用チェックボックス３０７と医用画像用チェックボックス３０８の中にチェックマーカ３１１が表示される。
【００５５】
本実施形態において図８（ａ）に示すような検像処理指示画面が表示されると、端末６を使用する技師は検像処理を指示する医用データＡに係るサムネイル画像３０６にタッチする。
【００５６】
端末６を使用する技師が医用データＡに係るサムネイル画像３０６にタッチすると、端末６に表示される表示画面は図８（ｂ）に示すような検像処理指定画面に切り替わる。図８（ｂ）に示すような検像処理指示画面の入力画面表示欄３０４には、検像処理指示メニュー３１２と指示内容確定ボタン３１３が表示される。検像処理指示メニュー３１２は、例えば検像処理の内容を示す項目と、それに対応する入力欄を有する。端末６を使用する技師は、当該入力欄に検像処理の内容を入力することで検像処理の内容を確定させる。例えば、検像処理の内容が医用画像の画像処理であれば、画像処理の項目に予め用意された選択肢の中から画像処理の内容を指定することで画像処理の内容を確定させる。また、検像処理が患者氏名や生年月日といった付帯情報の修正であれば、患者氏名や生年月日の項目に対応する入力欄に正しい患者氏名や生年月日を入力することで付帯情報の修正内容を確定させる。なお、図８（ｂ）に描画された検像処理指示メニュー３１２はあくまでも省略されたものである。
【００５７】
なお、本実施形態において、端末６を使用する技師が端末６に表示された医用データＡに対応するサムネイル画像３０６にタッチしてから指示内容確定ボタン３１３にタッチするまでの間、端末７を使用する技師が端末７に表示された医用データＡに対応するムネイル画像３０６がタッチしても、端末７の表示画面は図８（ｂ）に示すような画面には切り替わらず、検像処理指示メニュー３１２への入力はできない。これによって、同じタイミングでの検像処理の指示の重複が防がれる。
【００５８】
端末６を使用する技師は、検像処理指示メニュー３１２への入力が完了すると、指示内容確定ボタン３１３をタッチする。端末６を使用する技師が検像完了ボタン３１３をタッチすると、検像処理指示画面は図８（ａ）に示すような検像処理指示画面に切り替わり、ステップＳ１７に以降する。なお、本実施形態における検像完了ランプ３０５は、検像処理の対象となる全ての医用データに対する検像処理指示メニュー３１２への入力および指示内容確定ボタン３１３へのタッチの完了がトリガーとなって点灯する。本実施形態では検像処理の対象となる医用データは医用データＡの一つのみなので、検像完了ランプ３０５はこのタイミングで点灯する。端末６を使用する技師は、指定完了ランプ３０５が点灯すると、例えば、戻るボタン３１０をタッチする。端末６を使用する技師によって戻るボタン３１０がタッチされると、検像処理指示画面は、図７に示すような患者選択画面に切り替わる。なお、このときメッセージ３０１は表示されない。
【００５９】
ステップＳ１７において、端末６は、端末６を使用する技師による検像処理指示メニュー３１２への入力内容に基づく検像処理を実施するように検像処理装置３に指示する。
【００６０】
ステップＳ１８において、検像処理装置３は、端末６からの指示に従って、記憶部３ａが記憶している医用データＡに対して検像処理を行う。検像処理装置３は、端末６からの指示に基づく検像処理後の医用データＡを記憶部３ａに記憶させる。
【００６１】
ステップＳ１９において、検像処理装置３は、端末６からの指示に基づく医用データＡの検像処理が完了した旨を検像支援装置１１に通知する。
【００６２】
ステップＳ２０において、検像処理装置／端末表示指示部１５は、検像処理装置３の記憶部３ａに記憶された端末６からの指示に基づく検像処理後の医用データＡを端末６と端末７に転送するように、検像処理装置３に対して指示する。
【００６３】
ステップＳ２１において、検像処理装置３は、検像支援装置１１の検像処理装置／端末表示指示部１５からの指示に従って、記憶部３ａが記憶している端末６からの指示に基づく検像処理後の医用データＡを端末６と端末７に転送する。
【００６４】
ステップＳ２２において、端末６と端末７は、端末６からの指示に基づく検像処理後の医用データＡが検像処理装置３から転送されると、端末６を使用する技師と端末７を使用する技師に端末６からの指示に基づく検像処理後の医用データＡが転送された旨を知らせるためのメッセージと、患者選択画面を表示する。
【００６５】
図９は、ステップＳ２２において端末６および端末７に表示されるメッセージ４０１と患者選択画面４０２の概略図である。本実施形態におけるメッセージ４０１は、例えば図９に示すように、『技師「■■  ■■」さんが患者「××  ××」さんの医用データについて検像処理を指示しました。』といった、端末６からの指示に基づく検像処理後の医用データＡに基づく患者氏名などの情報と、端末６からの指示に基づく検像処理が完了した旨を示す情報を有する。また、本実施形態における患者選択画面４０２は、例えば参照ボタン４０２ａと、参照ボタン４０２ａに対応して設けられた、ステップＳ２１において検像処理装置３から転送された端末６からの指示に基づく検像処理後の医用データＡに基づく依頼医師、患者氏名、担当技師などの情報表示欄４０２ｂと、担当技師に対応したステータス欄４０２ｃを診断単位で有する。ステータス欄４０２ｃの表示は、検像処理の対象となる全ての医用データに対して端末からの指示に基づく検像処理が完了したがどうかによって変化する。本実施形態において、ステップＳ２２の時点で既に端末６からの指示に基づく検像処理は完了しているため、端末６を使用する技師「■■  ■■」に対応するステータス欄４０２ｃには「済」が表示される。一方、端末７からの指示に基づく検像処理は完了していないため、端末７を使用する技師「▼▼  ▼▼」に対応するステータス欄４０２ｃには「未」が表示される。
【００６６】
図９を用いて説明すると、端末７を使用する技師「▼▼  ▼▼」は、例えば端末５を使用する医師「△△  △△」に依頼された患者「××  ××」の医用データＡを参照する場合、患者選択画面４０２の参照ボタン４０２ａにタッチする。端末７を使用する技師によって参照ボタン４０２ａがタッチされると、ステップＳ２３に移行する。なお、例えば端末７を使用する技師によって参照ボタン４０２ａがタッチされる前に、別の診断に係る検像処理の対象となる医用データが端末６および端末７に転送されると、端末５のときと同様に、端末６は、別の診断に係る参照ボタン４０２ａ、情報表示欄４０２ｂ、ステータス欄４０２ｃを並べて表示する。
【００６７】
ステップＳ２３において、端末７は、端末７を使用する技師による患者選択画面への入力内容に基づいて、検像処理の内容を入力させるための検像処理指示画面を表示する。ここで、端末７を使用する技師による患者選択画面への入力内容とは、端末７を使用する技師が、端末７に表示された参照ボタン４０２ａにタッチしたことに相当する。
【００６８】
端末７を使用する技師によって端末７に表示された参照ボタン４０２ａがタッチされると、端末７には、まず、図８（ａ）に示すような検像処理指示画面が表示される。このとき、検像完了ランプ３０５は点灯していない状態であり、入力画面表示欄３０４には、サムネイル画像３０６、付帯情報用チェックボックス３０７、医用画像用チェックボックス３０８、スクロールバー３０９、戻るボタン３１０、チェックマーカ３１１が表示される。
【００６９】
このときのサムネイル画像３０６は、検像処理装置３から転送された端末６からの指示に基づく検像処理後の医用データＡに基づく画像である。なお、端末５を使用する医師「△△  △△」に依頼された患者「××  ××」の医用データが医用データＡ以外にも複数あり、サムネイル画像３０６が入力画面表示欄３０４に表示しきれない場合、端末６を使用する技師は、スクロールバー３０９にタッチしドラッグアンドドロップすることで入力画面表示欄３０４内に表示されたサムネイル画像３０６をスクロールさせることができる。チェックマーカ３１１は、ステップＳ１４において医用データＡに追加された検像処理の種類を示す情報に基づいて、付帯情報用チェックボックス３０７、医用画像用チェックボックス３０８の中に表示される。本実施形態において、医用データＡに対して実施する検像処理の種類は、付帯情報の修正および医用画像の画像処理であるため、付帯情報用チェックボックス３０７と医用画像用チェックボックス３０８の中にチェックマーカ３１１が表示される。
【００７０】
本実施形態において図８（ａ）に示すような検像処理指示画面が表示されると、端末７を使用する技師は、端末６からの指示に基づく検像処理後の医用データＡに係るサムネイル画像３０６にタッチする。
【００７１】
端末７を使用する技師が端末６からの指示に基づく検像処理後の医用データＡに係るサムネイル画像３０６にタッチすると、端末７に表示される表示画面は図８（ｂ）に示すような検像処理指定画面に切り替わる。図８（ｂ）に示すような検像処理指示画面の入力画面表示欄３０４には、検像処理指示メニュー３１２と指示内容確定ボタン３１３が表示される。検像処理指示メニュー３１２は、例えば検像処理の内容を示す項目と、それに対応する入力欄を有する。端末７を使用する技師は、当該入力欄に検像処理の内容を入力することで検像処理の内容を確定させる。例えば、検像処理の内容が医用画像の画像処理であれば、画像処理の項目に予め用意された選択肢の中から画像処理の内容を指定することで画像処理の内容を確定させる。また、検像処理が患者氏名や生年月日といった付帯情報の修正であれば、患者氏名や生年月日の項目に対応する入力欄に正しい患者氏名や生年月日を入力することで付帯情報の修正内容を確定させる。
【００７２】
端末７を使用する技師は、検像処理指示メニュー３１２への入力が完了すると、指示内容確定ボタン３１３をタッチする。端末６を使用する技師が検像完了ボタン３１３をタッチすると、検像処理指示画面は図８（ａ）に示すような検像処理指示画面に切り替わり、ステップＳ２４に以降する。なお、本実施形態における検像完了ランプ３０５は、検像処理の対象となる全ての医用データに対する検像処理指示メニュー３１２への入力および指示内容確定ボタン３１３へのタッチの完了がトリガーとなって点灯する。本実施形態では検像処理の対象となる医用データは医用データＡの一つのみなので、検像完了ランプ３０５はこのタイミングで点灯する。端末７を使用する技師は、指定完了ランプ３０５が点灯すると、例えば、戻るボタン３１０をタッチする。端末７を使用する技師によって戻るボタン３１０がタッチされると、検像処理指示画面は、図９に示すような患者選択画面に切り替わる。なお、このときメッセージ４０１は表示されない。
【００７３】
ステップＳ２４において、端末７は、端末７を使用する技師による検像処理指示メニュー３１２への入力内容に基づく検像処理を実施するように検像処理装置３に指示する。
【００７４】
ステップＳ２５において、検像処理装置３は、端末７からの指示に従って、記憶部３ａが記憶している端末６からの指示に基づく検像処理後の医用データＡに対して検像処理を行う。検像処理装置３は、端末６および端末７からの指示に基づく検像処理後の医用データＡを記憶部３ａに記憶させる。
【００７５】
ステップＳ２６において、検像処理装置３は、端末７からの指示に基づく医用データＡの検像処理が完了した旨を検像支援装置１１に通知する。
【００７６】
ステップＳ２７において、検像支援装置１１の画像サーバ／検像処理装置転送指示部１４は、ステップＳ２６における検像処理装置３からの通知に基づいて、記憶部３ａから端末６および端末７からの指示に基づく検像処理後の医用データＡを画像サーバ２に転送するように、検像処理装置３に対して指示する。また、検像処理装置／端末表示指示部１５は、ステップＳ２６における検像処理装置３からの通知に基づいて、記憶部３ａからに端末６および端末７からの指示に基づく検像処理後の医用データＡを端末６と端末７に転送するように、検像処理装置３に対して指示する。
【００７７】
ステップＳ２８において、検像処理装置３は、ステップＳ２７における画像サーバ／検像処理装置転送指示部１４からの指示に従って、記憶部３ａに記憶させた端末６および端末７からの指示に基づく検像処理後の医用データＡを画像サーバ２に転送する。また、検像処理装置３は、検像処理装置３は、ステップＳ２７における検像処理装置／端末表示指示部１５からの指示に従って、記憶部３ａに記憶させた端末６および端末７からの指示に基づく検像処理後の医用データＡを端末６と端末７に転送する。
【００７８】
ステップＳ２９において、画像サーバ２は、検像処理装置３から転送された端末６および端末７からの指示に基づく検像処理後の医用データＡを、記憶部２ａに記憶させる。また、端末６と端末７は、端末６および端末７からの指示に基づく検像処理後の医用データＡが検像処理装置３から転送されると、端末６を使用する技師と端末７を使用する技師に端末６および端末７からの指示に基づく検像処理後の医用データＡが転送された旨を知らせるためのメッセージと、患者選択画面を表示する。
【００７９】
図１０は、ステップＳ２９において端末６および端末７に表示されるメッセージ５０１と患者選択画面５０２の概略図である。本実施形態におけるメッセージ５０１は、例えば図１０に示すように、『患者「××  ××」さんの医用データについて検像処理が完了しました。』といった、端末６および端末７からの指示に基づく検像処理後の医用データＡに基づく患者氏名などの情報と端末６および端末７からの指示に基づく検像処理が完了した旨を示す情報を有する。また、本実施形態における患者選択画面５０２は、「２０１３／０１／３０」に診断された患者「××  ××」に係る全ての医用データについて検像処理が完了しているため、「２０１３／０１／３０」に診断された患者「××  ××」に係る情報は何も表示されない。
【００８０】
ステップＳ３０において、画像サーバ２は、端末６および端末７からの指示に基づく検像処理後の医用データＡを記憶部２ａに記憶させると、記憶が完了した旨を検像支援装置１１に通知する。画像サーバ２から端末６および端末７からの指示に基づく検像処理後の医用データの記憶が完了した旨の通知が成されると、図４に示すステップＳ３１に移行する。
【００８１】
図４は、本実施形態のフローにおけるステップＳ３１〜ステップＳ３６を示すフロー図である。
【００８２】
ステップＳ３１において、検像支援装置１１の画像サーバ／読影装置転送指示部１６は、端末６および端末７からの指示に基づく検像処理後の医用データＡが有する検像処理の種類を示す情報に基づいて、医用データＡを読影装置に転送するように、画像サーバ２に対して指示する。
【００８３】
ステップＳ３２において、画像サーバ２は、検像支援装置１１の画像サーバ／読影装置転送指示部１６からの指示に従って、記憶部２ａが記憶している端末６および端末７からの指示に基づく検像処理後の医用データＡを読影装置４に転送する。
【００８４】
ステップＳ３３において、読影装置４は、画像サーバ２から転送された端末６および端末７からの指示に基づく検像処理後の医用データＡを表示手段に表示させる。
【００８５】
ステップＳ３４において、読影装置４を使用する医師は、端末６および端末７からの指示に基づく検像処理後の医用データＡを参照し、例えば読影コメントなどの付帯情報を端末６および端末７からの指示に基づく検像処理後の医用データＡに追加する。
【００８６】
ステップＳ３５において、読影装置４は読影コメントなどの付帯情報が追加された医用データＡを画像サーバ２に転送する。
【００８７】
ステップＳ３６において、画像サーバ２は、読影装置４から転送された読影コメントなどの付帯情報が追加された医用データＡを記憶部２ａに記憶させる。
【００８８】
以上で説明したように、本実施形態における検像支援装置１１は、医師によって付帯情報の修正が必要な医用データや医用画像の画像処理が必要な医用データが指定され、当該医師によって指定された医用データに対してのみ技師による検像処理が実施される。これによって、従来のように、実際には読影に使用しない医用画像に対して画像処理を行うことが無くなり、検像に必要な時間が短縮される。また、本実施形態における検像支援装置１１は、入力機能と表示機能を有する複数の端末に対して、医用データを表示させ、更にその表示内容を検像処理の実施に合わせて更新する。これによって、複数の技師が複数の異なる場所にいる場合でも、検像処理の状況を相互に共有しながら検像処理を実施することができる。また、これによって、複数の技師による検像処理の実施が容易になるため、十分な精度で検像処理を行なうことができる。
【００８９】
本実施形態では、端末６と端末７に同時に医用データが転送・表示される場合について説明したが、例えば、まず端末６にのみ医用データが転送・表示され、端末６による検像処理が終わった後、端末７に端末６からの指示に基づく検像処理後の医用データが転送・表示されるような仕様であっても良い。これによって、一つの端末が一つの医用データについての検像処理内容の入力を行なっている間、他の端末がこの医用データについての検像処理内容の入力を行なえないといったことが解消され、より効率的に検像処理の内容の入力作業が行なえる。
【００９０】
本実施形態では、技師が検像処理指示メニューに検像処理の内容を入力し、指示内容確定ボタンにタッチすることで検像処理を指示する場合について説明したが、検像処理表示メニューへの入力を行なわずに指示内容確定ボタンにタッチしても良い。この場合、技師による指示内容確定ボタンへのタッチは、端末に表示されている医用データにそれ以上検像を行う必要が無いという判断、即ち、承認とみなされる。
【００９１】
あるいは、図１１の表示画面の概略図に示すような承認画面が、ステップ２３における図８（ｂ）の代わりに端末７に表示されても良い。図１１に示すような承認画面は医用データ表示欄６０１、入力画面表示欄６０２、承認完了ランプ６０３が表示される。また、入力画面表示欄６０２は、承認ボタン６０４、差し戻しボタン６０５を有する。
【００９２】
端末７を使用する技師は、医用データ表示欄６０１に表示されている医用データについて、検像処理を行う必要が無いと判断した場合、承認ボタン６０４をタッチする。承認ボタン６０４がタッチされると承認ボタン６０３が点灯し、図８（ｂ）における検像処理指示メニュー３１２に入力を行わず指示内容確定ボタン３１３にタッチした場合と同様の処理が行なわれる。一方で、端末７を使用する技師は、医用データ表示欄６０１に表示されている医用データについて、検像処理が不十分であると判断した場合、端末７を使用する技師は、差し戻しボタン６０５にタッチする。差し戻しボタン６０５がタッチされると、例えば、端末６には端末７による技師に差し戻された旨のメッセージが表示され、端末６を使用する技師は、差し戻された医用データに対して再度検像処理の指示を行う。上記した承認の機能を追加する場合、例えば、１人の技師が一つの端末から検像処理の内容を指示し、別の技師は他の端末から承認のみを行なう。この場合、検像処理を実施するのは１人ではあるが、検像処理の内容は複数の技師によって精査されるため、従来技術と比較して検像処理の精度は向上する。
【００９３】
本実施形態において、検像処理を実施する技師が２人であり端末が２つの場合について説明したが、例えば、技師が１人であり端末が１つの仕様、あるいは、技師が３人以上であり端末が３つ以上である仕様でも良い。
【００９４】
本実施形態では、検像支援装置１１が他の構成と別々になっている場合について説明したが、例えば、画像サーバ２、検像処理装置３、端末５のいずれかと一体になっているような仕様でも本実施形態と同様の効果が期待できる。また、例えば、端末５と読影装置４が一体になっているような仕様でも、本実施形態と同様の効果が期待できる。
【００９５】
本実施形態における検像支援装置１１は、医師情報や技師情報をＲＩＳやＨＩＳから取得する場合について説明したが、別の構成から医師情報や技師情報を取得しても良い。例えば、端末５を使用する医師が検像処理を依頼する技師を指定する場合、検像処理を依頼する技師を端末５に予め登録しておき、検像支援装置１は、端末５から技師情報を取得する。
【００９６】
更に、本実施形態では、記憶部２ａが記憶している医用データを端末５に表示させ、検像処理を実施する医用データを指定させる場合について説明したが、例えば、医用診断装置１の記憶部１ａが記憶している医用データを端末５に表示させ、検像処理を実施する医用データを指定させても良い。あるいは、例えば、医用診断装置１で生成された医用データが画像サーバ２の記憶部２ａではなく検像処理装置３の記憶部３ａに記憶される場合、検像処理装置３の記憶部３ａが記憶している医用データを端末５に表示させ、検像処理を実施する医用データを指定させても良い。
【００９７】
本実施形態では、医用データに技師情報および医師情報を画像サーバ２が追加する場合について説明したが、医用診断装置１で医用データが生成される際、医用診断装置１がＲＩＳやＨＩＳから技師情報および医師情報を取得し、付帯情報として追加しても良い。
【００９８】
なお、本実施形態は、本実施形態で示した各構成に上記した機能を実現させるプログラムであっても良い。
【００９９】
以上、本発明の実施形態を説明したが、これらの実施形態は例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１００】
１・・・医用診断装置
１ａ・・・記憶部
２・・・画像サーバ
２ａ・・・記憶部
３・・・検像処理装置
３ａ・・・記憶部
４・・・読影装置
５、６、７・・・端末
１１・・・検像支援装置
１２・・・医師情報・技師情報取得部
１３・・・画像サーバ／端末表示指示部
１４・・・画像サーバ／検像処理装置転送指示部
１５・・・検像処理装置／端末表示指示部
１６・・・画像サーバ／読影装置転送指示部
１００・・・ネットワーク
２０１、３０１、４０１、５０１・・・メッセージ
２０２、３０２、４０２、５０２・・・患者選択画面
２０２ａ、３０２ａ、４０２ａ・・・参照ボタン
２０２ｂ、３０２ｂ、４０２ｂ・・・情報表示欄
２０３、３０３、６０１・・・医用データ表示欄
２０４、３０４、６０２・・・入力画面表示欄
２０５・・・指定完了ランプ
２０６、３０６・・・サムネイル画像
２０７、３０７・・・付帯情報用チェックボックス
２０８、３０８・・・医用画像用チェックボックス
２０９・・・指定完了ボタン
２１０、３０９・・・スクロールバー
２１１、３１１・・・チェックマーカ
２１２、３１０・・・戻るボタン
３０２ｃ、４０２ｃ・・・ステータス欄
３０５・・・検像完了ランプ
３１２・・・検像処理指示メニュー
３１３・・・指示内容確定ボタン
６０３・・・承認完了ランプ
６０４・・・承認ボタン
６０５・・・差し戻しボタン
【図１】
2014215854.tif 000003
【図２】
2014215854.tif 000004
【図３】
2014215854.tif 000005
【図４】
2014215854.tif 000006
【図５】
2014215854.tif 000007
【図６】
2014215854.tif 000008
【図７】
2014215854.tif 000009
【図８】
2014215854.tif 000010
【図９】
2014215854.tif 000011
【図１０】
2014215854.tif 000012
【図１１】
2014215854.tif 000013